(57)【要約】【課題】極めて簡単で安価であり、空間的なスペースもとらない、赤外線ノイズを除去する赤外線リモコン受光システムを提供する。【解決手段】本発明は、赤外線受光素子１と、赤外線受光素子１の受光面側に前置された、赤外線波長領域のみ透過する赤外線フィルタ２からなる、通常の受光システムにおいて、赤外線フィルタ２の赤外線受光素子１側および／またはその反対側に、赤外線波長領域の光を吸収する吸光素子を挿入するという、簡単な構成をとる。吸光素子は、当該受光システムが用いられている環境で、少なくとも赤外線受光素子１の検出限界以上の赤外線信号を透過させ、かつ、少なくとも検出限界以上の赤外線ノイズを透過させないように選択される。以上により、信号のみが検出され、ノイズは除去される。吸光素子は、例えば赤外線フィルタ２に直接塗布された適切な色および厚みの塗料４であり、これにより空間スペースが削減できる。【選択図】　図２
2004101334.tif 000002
【特許請求の範囲】
【請求項１】
赤外線受光素子と、該赤外線受光素子の受光面側に前置された、赤外線波長領域の光のみを透過させる赤外線フィルタからなる赤外線リモコン受光システムにおいて、
前記赤外線フィルタの前記赤外線受光素子の前記受光面側、および／または、その反対側に、赤外線波長領域の光を吸収する吸光手段を備え、該吸光手段は、当該赤外線リモコン受光システムが用いられている環境において、少なくとも前記赤外線受光素子の検出限界以上の赤外線信号を透過させ、かつ、少なくとも前記赤外線受光素子の検出限界以上の前記環境からの赤外線ノイズを透過させないことを特徴とする赤外線リモコン受光システム。
【請求項２】
前記吸光手段は、前記赤外線信号の強度、および／または、前記赤外線ノイズの強度に応じて、１つまたは複数の色、および／または、１つまたは複数の厚さのものから、１つまたは複数を選択して任意に構成される、請求項１に記載の赤外線リモコン受光システム。
【請求項３】
前記吸光手段は、前記赤外線フィルタに直接塗布されるか、および／または、直接貼付される、請求項１または２に記載の赤外線リモコン受光システム。
【請求項４】
前記吸光手段は紙である、請求項１から３のいずれか１項に記載の赤外線リモコン受光システム。
【発明の詳細な説明】
【０００１】
【発明の属する技術分野】
本発明は、赤外線信号以外のノイズ光を除去するように構成された赤外線リモコン受光システムに関する。
【０００２】
【従来の技術】
赤外線リモコン受光システムにおいては、蛍光灯などから発せられた微弱な赤外線ノイズであっても、赤外線リモコン受光素子で受光されればデジタル信号化されてしまうため、リモコンから送られてくる赤外線信号ばかりでなく、赤外線ノイズもデジタル信号の“１”、“０”に変換されてしまう可能性がある。
【０００３】
そのため、蛍光灯などの外部光を遮光するための技術がこれまでいくつか考案されている（例えば、特許文献１または２参照）。しかし、遮光手段の構築にかかる手間のわりには、赤外線ノイズの除去の実効性は小さいと考えられる。
【０００４】
そこで、赤外線波長領域の吸光度が異なる複数の赤外線透過フィルタをレボルバー状に配置し、このレボルバー状のフレームをまわすことによって、赤外線ノイズを最も良く除去することができるフィルタを選択する技術が考案されている（例えば、特許文献３参照）。
【０００５】
なお、赤外線の強度の減衰によって赤外線ノイズを除去する方法を用いる場合には、当該赤外線リモコン受光システムが用いられている環境において、少なくとも赤外線受光素子の検出限界以上の赤外線信号を透過させ、かつ、少なくとも赤外線受光素子の検出限界以上の赤外線ノイズを透過させないようにしなくてはならない。
【０００６】
【特許文献１】
特開平１０−２４２４８８号公報
【特許文献２】
特開２０００−０４９３６４号公報
【特許文献３】
特開２０００−１１１４００号公報
【０００７】
【発明が解決しようとする課題】
特許文献３で開示された技術は、特許文献１や特許文献２で開示された技術に比べてシンプルではあるものの、レボルバー状のフレームを配置するスペースの問題があり、すべての赤外線リモコン受光システムで用いるのは困難であると考えられる。
【０００８】
そこで本発明の目的は、極めて簡単で安価であり、空間的なスペースもとらない、赤外線ノイズを除去する赤外線リモコン受光システムを提供することにある。
【０００９】
【課題を解決するための手段】
上記目的を達成するために、本発明は、赤外線受光素子と、赤外線受光素子の受光面側に前置された、赤外線波長領域の光のみを透過させる赤外線フィルタからなる通常の赤外線リモコン受光システムにおいて、赤外線フィルタの赤外線受光素子の受光面側、および／または、その反対側に、赤外線波長領域の光を吸収する吸光素子を挿入するという、極めて簡単な構成をとる。この吸光素子は、当該赤外線リモコン受光システムが用いられている環境において、少なくとも赤外線受光素子の検出限界以上の赤外線信号を透過させ、かつ、少なくとも赤外線受光素子の検出限界以上の赤外線ノイズを透過させないように選択される。以上により、信号のみが検出され、ノイズは除去される。
【００１０】
さらに、吸光素子は、赤外線信号の強度および／または赤外線ノイズの強度に応じて、１つまたは複数の色、および／または、１つまたは複数の厚さのものから、１つまたは複数を選択して任意に構成されるものでよい。
【００１１】
さらに、吸光素子は、赤外線フィルタに直接塗布されるか、および／または、直接貼付されれば、空間スペースが削減できる。
【００１２】
さらに、吸光素子は紙のようなものでもよい。
【００１３】
【発明の実施の形態】
次に、本発明の実施の形態について、図面を参照して説明する。
【００１４】
図１を参照すると、本発明の赤外リモコン受光システムは、赤外線を受光してデジタルの電気信号に変換する受光素子１と、赤外線波長領域以外の領域の光をカットする赤外線フィルタ２と、赤外線の透過率を低下させる吸光素子３で構成される。
【００１５】
受光素子１は、赤外線を受光すればそれを“１”、“０”のデジタル信号に変化する。赤外線の光線の強さはその後の信号に反映されない。従って、蛍光灯等の微弱な赤外線も、リモコンから発信される強力な信号も、いったん受光されれば同じレベルで復元されることに問題があった。そこで、受光素子１の前方の吸光素子３が光の透過率を低下させ、微弱な赤外線ノイズを除去する。
【００１６】
ここで、吸光素子３には、当該赤外線リモコン受光システムが用いられている環境において、少なくとも受光素子１の検出限界以上の赤外線信号を透過させ、かつ、少なくとも受光素子１の検出限界以上の赤外線ノイズを透過させないことのみが要求される。これにより、信号のみが検出され、ノイズは除去されることになる。
【００１７】
そのために、吸光素子３は、赤外線信号の強度および／または赤外線ノイズの強度に応じて、１つまたは複数の色、および／または、１つまたは複数の厚さのものから、１つまたは複数を選択して任意に構成され得る。
【００１８】
また、吸光素子３は、赤外線フィルタ２の前に配置してもよいし、赤外線フィルタ２に直接塗布または貼付してもよい。
【００１９】
なお、受光素子１と赤外線フィルタ２は、当業者によく知られており、その詳細な説明は省略する。
【００２０】
図２を参照すると、本発明の一実施例の赤外線リモコン受光システムの構成が示されている。本実施例においては、吸光素子３として、赤外線フィルタ２に直接塗布された塗料４が用いられる。塗料４は赤外線フィルタ２のどちらの側に塗布されても、本発明の目的は達成できる。本受光システムが用いられる環境に応じて、信号のみが検出され、ノイズが除去される前述の条件を満足するために、塗料の色や種類また塗装厚によって赤外線の透過率を調節する。
【００２１】
図３を参照すると、塗料４が赤外線フィルタ２に塗装されないとき（Ａ）と、塗布されたとき（Ｂ）透過率の一例が示されている。塗料の遮蔽によって赤外線の透過率が全体的に低下する。赤外線で送られる情報は、受光素子１においてデジタルの電気信号に変換されてデータとして使用されるため、受光素子１の検出限界を下回らないかぎり、赤外線信号の強弱はその後のシステムにおいて全く影響を与えない。
【００２２】
図４を参照すると、本発明の他の実施例の赤外線リモコン受光システムの構成が示されている。本実施例においては、吸光素子３として、紙５が用いられる。紙は成型自由な上、容易に手に入る点で有利である。本実施例においても、紙の種類、厚さ、色は、利用環境に応じて変化させることが望ましい。さらに、赤外線フィルタ２の前に配置してもよいし、また、赤外線フィルタ２に貼付してもよい。
【００２３】
なお、本実施形態で用いている、塗料４および紙５を含む吸光素子３は、当該赤外線リモコン受光システムが用いられている環境において、少なくとも受光素子１の検出限界以上の赤外線信号を透過させ、かつ、少なくとも受光素子１の検出限界以上の赤外線ノイズを透過させないのであれば、市場に広く流通し、または、一般人が容易に手に入れることができるもので十分である。この場合であっても、本発明の目的は十分達成できる。
【００２４】
【発明の効果】
以上説明したように、本発明によれば、簡単な構成で、空間スペースを取らずに、しかも低コストで赤外線ノイズを除去できるという効果を有する。
【図面の簡単な説明】
【図１】本発明の一実施形態の赤外線リモコン受光システムの構成図である。
【図２】吸光素子３として塗料４を用いた本発明の一実施例の赤外線リモコン受光システムの構成図である。
【図３】吸光素子３として塗料４を用いないとき（Ａ）と、用いたとき（Ｂ）の赤外線透過率を示したグラフである。
【図４】吸光素子３として紙５を用いた本発明の他の実施例の赤外線リモコン受光システムの構成図である。
【符号の説明】
１　受光素子
２　赤外線フィルタ
３　吸光素子
４　塗料
５　紙
【図１】
2004101334.tif 000003
【図２】
2004101334.tif 000004
【図３】
2004101334.tif 000005
【図４】
2004101334.tif 000006